(57)【特許請求の範囲】
【請求項１】
隣接する遊技機のメダル投入口にメダルをシュートで移送するメダル供給機において、メダル供給機はその供給口にメダルを横向きで供給するもので、シュートを複数のシュート部材で屈曲自在に構成し、供給口に上流側のシュート部材の基端部を取り付け、下流側のシュート部材の先端部に遊技機のメダル投入口と係合するアダプタを備え、上流側のシュート部材にはメダルを横向きで移送させる広幅のガイド溝を形成し、下流側のシュート部材にはメダルを縦向きで移送させる狭幅のガイド溝を形成し、上流側と下流側のシュート部材間にメダルを横向きから縦向きへ姿勢を変える姿勢変更部を設け、しかも下流側のシュート部材の先端部にメダルの流れを解除可能に塞き止めるメダル移送停止手段を設けたことを特徴とする、遊技設備のメダル供給機。
【請求項２】
姿勢変更部が、上流側と下流側のシュート部材同士を回動自在に枢支し、下流側のシュート部材のアダプタを遊技機のメダル投入口に係合した際にメダルが前記枢支部分を通過できるように開放し、アダプタをメダル投入口から外すように下流側のシュート部材を回動した際に前記枢支部分をメダルが通過できないように閉塞するようにした構成である、請求項１記載の遊技設備のメダル供給機。
【請求項３】
姿勢変更部が横向きのメダルを縦向きにする傾斜面であって、しかも傾斜面が緩やかな勾配から垂直又は垂直に近い急勾配へ無段階に変化するように形成したものである、請求項１又は２記載の遊技設備のメダル供給機。
【請求項４】
シュートの途中を上方へ折曲可能に構成した、請求項１〜３いずれか記載の遊技設備のメダル供給機。
【請求項５】
メダル移送停止手段が、バネの付勢力で下流側のシュート部材のガイド溝の途中を解除可能に閉塞する可動バーである、請求項１〜４いずれかに記載の遊技設備のメダル供給機。
【請求項６】
メダル移送停止手段が、下流側のシュート部材の側面に遊技者の指が挿入できる挿入穴を形成し、挿入穴に挿入した指でメダルの流れを塞き止めるようにしたものである、請求項１〜４いずれかに記載の遊技設備のメダル供給機。
【発明の詳細な説明】
【技術分野】
【０００１】
本発明は、遊技機のメダル投入口に投入するメダルを遊技者に代わって機械的に供給しながら投入するメダル供給機に関する。
【背景技術】
【０００２】
従来、メダルを投入して遊技する遊技機では、遊技者がメダル貸し機で借りたメダルを遊技機の受皿に一旦移し、これをメダル投入口に１枚ずつ投入して遊技している。近年ではメダルを受皿に移したりメダル投入口に投入する手間を省略するために、図１４に示すようにメダル供給機５０（公知のメダル貸し機）の供給口５３にメダルを移送するシュート５２を取り付け、シュート５２の先端部を遊技機４０のメダル投入口４１に係合してメダルの投入を遊技者に代わって機械的且つ連続的に行えるようにした遊技設備が提案されている（例えば特許文献１参照）。図中、４２は受皿、５１は貨幣投入口、５４はシュート５２をメダル投入口４１と係合するアダプタである。
【０００３】
ところで、遊技機４０のメダル投入口４１は縦向きのメダルを上方から投入するスリット状の投入穴が形成されているから、前記のシュート５２はメダルを縦向きで移送させるように狭幅の深いガイド溝が形成されている。この場合、メダル供給機５０では貯溜されているメダルを一枚一枚縦向きの状態にしてシュート５２のガイド溝へ送り出す機構が必要で装置が複雑になり、また、投入金額に応じたメダル枚数のカウントもミスやエラーが生じ易く不安定であった。
【特許文献１】特開２００１−４６７２３号公報
【発明の開示】
【発明が解決しようとする課題】
【０００４】
本発明が解決しようとする課題は、従来のこれらの問題点を解消し、メダルを縦向きにして送り出す機構を不要にして装置を簡素化するとともに、メダル枚数のカウントがミスやエラーなく安定的に行えるようにした遊技設備のメダル供給機を提供することにある。
【課題を解決するための手段】
【０００５】
かかる課題を解決した本発明の構成は、
１）  隣接する遊技機のメダル投入口にメダルをシュートで移送するメダル供給機において、メダル供給機はその供給口にメダルを横向きで供給するもので、シュートを複数のシュート部材で屈曲自在に構成し、供給口に上流側のシュート部材の基端部を取り付け、下流側のシュート部材の先端部に遊技機のメダル投入口と係合するアダプタを備え、上流側のシュート部材にはメダルを横向きで移送させる広幅のガイド溝を形成し、下流側のシュート部材にはメダルを縦向きで移送させる狭幅のガイド溝を形成し、上流側と下流側のシュート部材間にメダルを横向きから縦向きへ姿勢を変える姿勢変更部を設け、しかも下流側のシュート部材の先端部にメダルの流れを解除可能に塞き止めるメダル移送停止手段を設けたことを特徴とする、遊技設備のメダル供給機
２）  姿勢変更部が、上流側と下流側のシュート部材同士を回動自在に枢支し、下流側のシュート部材のアダプタを遊技機のメダル投入口に係合した際にメダルが前記枢支部分を通過できるように開放し、アダプタをメダル投入口から外すように下流側のシュート部材を回動した際に前記枢支部分をメダルが通過できないように閉塞するようにした構成である、前記１）記載の遊技設備のメダル供給機
３）  姿勢変更部が横向きのメダルを縦向きにする傾斜面であって、しかも傾斜面が緩やかな勾配から垂直又は垂直に近い急勾配へ無段階に変化するように形成したものである、前記１）又は２）記載の遊技設備のメダル供給機
４）  シュートの途中を上方へ折曲可能に構成した、前記１）〜３）いずれか記載の遊技設備のメダル供給機
５）  メダル移送停止手段が、バネの付勢力で下流側のシュート部材のガイド溝の途中を解除可能に閉塞する可動バーである、前記１）〜４）いずれかに記載の遊技設備のメダル供給機
６）  メダル移送停止手段が、下流側のシュート部材の側面に遊技者の指が挿入できる挿入穴を形成し、挿入穴に挿入した指でメダルの流れを塞き止めるようにしたものである、前記１）〜４）いずれかに記載の遊技設備のメダル供給機
にある。
【発明の効果】
【０００６】
本発明によれば、メダル供給機の内部にメダルを縦向きにする機構を省略して簡素化でき、供給時のメダル枚数のカウントをエラーなく安定的且つ正確に行うことができ、低コスト安定品質のメダル供給機を提供できる。
【発明を実施するための最良の形態】
【０００７】
本発明の姿勢変更部は、上流側と下流側のシュート部材同士を回動自在に枢支し、下流側のシュート部材のアダプタを遊技機のメダル投入口に係合した場合のみメダルが前記枢支部分を通過できるように開放する構造にし、アダプタをメダル投入口から外した際に誤ってメダルが落下しないように前記枢支部分を閉塞できるようにするストッパを形成する。姿勢変更部の傾斜面は、緩やかな勾配から垂直又は垂直に近い急勾配へ無段階に変化するように形成してメダルの姿勢変化を円滑にする。メダル移送停止手段としては、バネの付勢力でガイド溝の途中を解除可能に閉塞する可動バーを設けたものや、下流側のシュート部材の側面に遊技者の指が挿入できる挿入穴を形成し、挿入穴に挿入した指でメダルの流れを塞き止めるようにした方法があり、コスト等に応じて選ばれる。メダル移送停止手段は、下流側のシュート部材に代えてアダプタ自身に設けてもよい。以下、本発明の実施例を図面に基づいて具体的に説明する。
【実施例１】
【０００８】
図１〜９に示す実施例はスロットマシンのメダル投入口にメダルを機械的に供給しながら投入するメダル供給機の例である。図１は実施例の遊技機とメダル供給機の斜視図、図２は実施例のシュートの斜視図、図３は実施例のシュートの分解斜視図、図４は実施例の姿勢変更部のストッパ機構の説明図、図５は実施例のアダプタの一部切欠斜視図、図６は実施例のメダル移送停止手段の説明図、図７，８は実施例のメダルの移送を示す説明図、図９は実施例のメダルの移送停止の解除を示す説明図である。
【０００９】
本実施例の遊技機１０は、図１〜３に示すように正面にメダルｍを投入するメダル投入口１１と、遊技結果に応じて払い出されたメダルｍを受ける受皿１２とを備えている。隣接して設置されるメダル供給機２０は、正面に貨幣を投入する貨幣投入口２１と、内部にメダルｍを払い出し時まで一時貯溜するホッパー２２と、メダルｍを横向きの状態で落下させる複数の通過孔２３と、通過したメダルｍを払い出す払出口２４とを備えている。２５は取り付けたシュート３０にメダルｍを供給する供給口、２５ａはネジ穴である。
【００１０】
シュート３０は、図２〜６に示すように上流シュート部材３１と下流シュート部材３２とで屈曲自在に構成されている。上流シュート部材３１は、メダルｍの外径よりやや広幅の浅いガイド溝３１ａが形成され、基端部には上流シュート部材３１を上下方向に回動させる回動基部３１ｂが形成され、先端部には底部を有する拡径した屈曲筒部３１ｄが形成されている。３１ｃはネジ穴、３１ｅは通過口である。
【００１１】
下流シュート部材３２は、メダルｍの厚さよりやや大きい幅且つメダルｍの外径とほぼ同じかやや深いガイド溝３２ａが形成され、基端部には上流シュート部材３１の屈曲筒部３１ｄの内側に嵌挿する屈曲筒部３２ｂが形成され、屈曲筒部３２ｂの内面に横向きのメダルｍを縦向きにするための緩やかな勾配から急勾配へ無段階に変化する傾斜面３２ｃが形成され、先端部にはガイド溝３２ａの底部にメダルｍの落下口３２ｄが形成され、先端部の側面にはアダプタ３５を脱着自在に取り付ける取付凹所３２ｅが形成され、取付凹所３２ｅの後方にネジ穴３２ｆが連通するように形成され、ネジ穴３２ｆにバネ３２ｈを介してメダルｍの流れを塞き止める可動バー３２ｇをネジ３２ｉとナット３２ｊで回動自在に取り付けている。
【００１２】
この上流シュート部材３１の回動基部３１ｂをメダル供給機２０の供給口２５に円筒状の支持部材３３と受け部材３４で上下左右に回動自在に取り付ける。支持部材３３は回動基部３１ｂを上下方向に回動自在に枢支するとともに払出口２４から払い出されたメダルｍを横向きの状態でガイド溝３１ａに送るもので、受け部材３４は上流シュート部材３１の回動基部３１ｂを枢支した支持部材３３を左右方向に回動自在に支承するものである。３３ａはネジ穴、３３ｂはネジ、３４ａは取付片、３４ｂはネジ穴、３４ｃはネジである。
【００１３】
上流シュート部材３１の屈曲筒部３１ｄには下流シュート部材３２の屈曲筒部３２ｂを上方から嵌挿して通路口３１ｅを通して左右に屈曲自在に取り付ける。このとき、図４（ａ）に示すように下流シュート部材３２を遊技機１０側に回動した際は傾斜面３２ｃが上流シュート部材３１のガイド溝３１ａの終端に配置されてメダルｍが流れるようにし、図４（ｂ）に示すように下流シュート部材３２を遊技機１０と反対側に回動した際は屈曲筒部３２ｂの筒壁が上流シュート部材３１のガイド溝３１ａの終端に配置されるようにし、非供給時にメダルｍを誤って流さないように塞き止めるストッパ機構を構成している。
【００１４】
下流シュート部材３２の先端部には遊技機１０のメダル投入口１１と係合するアダプタ３５が脱着自在に取り付けられる。アダプタ３５は、下部にメダル投入口１１の形状に合わせた係合凹所３５ａが形成され、内側上部には下流シュート部材３２の取付凹所３２ｅに嵌合する取付凸所３５ｂが形成され、下流シュート部材３２の落下口３２ｄから落下したメダルｍを縦向きの状態でメダル投入口１１に案内する斜めのガイド面３５ｃが形成されている。
【００１５】
本実施例では、シュート３０を上下左右に屈曲させてアダプタ３５を遊技機１０のメダル投入口１１に係合し、遊技者がメダル供給機２０の貨幣投入口２１に貨幣を投入すると、ホッパー２２のメダルｍが通過孔２３で横向きに通過（同時に図示しないカウント装置で枚数をカウント）して払出口２４に落下し、投入金額に応じた所定枚数になるとメダルｍの供給を停止する。払出口２４に落下したメダルｍは図７に示すように支持部材３３で上流シュート部材３１のガイド溝３１ａへ案内され、ガイド溝３１ａに沿って横向きの状態で滑動するように移送される。メダルｍが屈曲筒部３１ｄ，３２ｂに達すると傾斜面３２ｃで横向きから縦向きに姿勢が変えられる。このとき、傾斜面３２ｃは緩やかな勾配から急勾配へ無段階に変化するように形成されているから、メダルｍが円滑に姿勢変更される。
【００１６】
縦向きになったメダルｍは図８に示すように下流シュート部材３２のガイド溝３２ａに沿って縦向きの状態で転動するように移送される。下流シュート部材３２の先端部に達したメダルｍはバネ３２ｈの付勢力で縦向きになっている可動バー３２ｇで一旦流れが塞き止められる。その後、図９に示すように遊技者により可動バー３２ｇが下方へ押されることで塞き止めが解除され、メダルｍが落下口３２ｄから縦向きのまま落下して遊技機１０のメダル投入口１１へ所要枚数が連続的に投入され、遊技が行なわれる。
【００１７】
このように、本実施例によれば遊技者がメダルｍを遊技機１０の受皿１２に移し替えたりメダル投入口１１に一枚ずつ投入する煩わしい作業から開放されて遊技に集中できる。また、メダル供給機２０の内部にメダルｍを縦向きにする機構を省略して簡素化でき、供給時のメダルｍの枚数のカウントもエラーなく安定的且つ正確に行うことができ、低コスト安定品質のメダル供給機２０となった。
【００１８】
図１０に示すのは、実施例のメダル移送停止手段の他の例である。図１０は実施例の他の例のメダル移送停止手段の説明図である。図中、３２ｋは挿入穴、Ｈは遊技者の指である。図１０に示す実施例の他の例は、実施例の可動バー３２ｇに代えて下流シュート部材３２の落下口３２ｄの手前側面に遊技者の指Ｈが挿入できる挿入穴３２ｋを形成し、指Ｈを挿入穴３２ｋに挿入することでメダルｍの流れを塞き止めるようにした例である。この例は可動バー３２ｇやその取り付けに必要な部品を省略して低コストで実施できる。その他、符号、構成、作用効果は実施例と同じである。
【００１９】
図１１〜１３に示すのは、シュートを屈曲筒部で上方へ折曲できるようにした実施例の他の例である。図１１は実施例の他の例のシュートの斜視図、図１２は実施例の他の例のシュートの分解斜視図、図１３は実施例の他の例のシュートの折曲を示す説明図である。図中、１０ａは蝶番、３１ｆは枢支軸、３１ｇは枢支穴である。
【００２０】
図１１〜１３に示す実施例の他の例では、上流シュート部材３１と屈曲筒部３１ｄを別体にし、上流シュート部材３１の終端部の両壁面に枢支軸３１ｆを突設し、屈曲筒部３１ｄの傾斜面３２ｃの上方の両壁面に枢支穴３１ｇを形成し、枢支軸３１ｆを枢支穴３１ｇに嵌入して屈曲筒部３１ｄが上流シュート部材３１に対して上方へ折曲できるようにしている。遊技機１０は蝶番１０ａで正面側を開閉可能に構成している。従って、図１３に示すようにシュート３０を途中で上方へ折曲することで、遊技機１０の正面を開放してメンテナンスする際や、遊技者がメダルｍを投入した後に遊技する際や、通行人が遊技機１０の正面を通る際に接触を防止して邪魔にならないようにできる。その他、符号、構成、作用効果は実施例と同じである。
【産業上の利用可能性】
【００２１】
本発明の遊技設備のメダル供給機は、スロットマシン等メダルを縦向きに投入して遊技する遊技機に有用である。
【図面の簡単な説明】
【００２２】
【図１】実施例の遊技機とメダル供給機の斜視図である。
【図２】実施例のシュートの斜視図である。
【図３】実施例のシュートの分解斜視図である。
【図４】実施例の姿勢変更部のストッパ機構の説明図である。
【図５】実施例のアダプタの一部切欠斜視図である。
【図６】実施例のメダル移送停止手段の説明図である。
【図７】実施例のメダルの移送を示す説明図である。
【図８】実施例のメダルの移送を示す説明図である。
【図９】実施例のメダルの移送停止の解除を示す説明図である。
【図１０】実施例の他の例のメダル移送停止手段の説明図である。
【図１１】実施例の他の例のシュートの斜視図である。
【図１２】実施例の他の例のシュートの分解斜視図である。
【図１３】実施例の他の例のシュートの折曲を示す説明図である。
【図１４】従来の遊技機とメダル供給機の斜視図である。
【符号の説明】
【００２３】
１０  遊技機
１０ａ  蝶番
１１  メダル投入口
１２  受皿
２０  メダル供給機
２１  貨幣投入口
２２  ホッパー
２３  通過孔
２４  払出口
２５  供給口
２５ａ  ネジ穴
３０  シュート
３１  上流シュート部材
３１ａ  ガイド溝
３１ｂ  回動基部
３１ｃ  ネジ穴
３１ｄ  屈曲筒部
３１ｅ  通過口
３１ｆ  枢支軸
３１ｇ  枢支穴
３２  下流シュート部材
３２ａ  ガイド溝
３２ｂ  屈曲筒部
３２ｃ  傾斜面
３２ｄ  落下口
３２ｅ  取付凹所
３２ｆ  ネジ穴
３２ｇ  可動バー
３２ｈ  バネ
３２ｉ  ネジ
３２ｊ  ナット
３２ｋ  挿入穴
３３  支持部材
３３ａ  ネジ穴
３３ｂ  ネジ
３４  受け部材
３４ａ  取付片
３４ｂ  ネジ穴
３４ｃ  ネジ
３５  アダプタ
３５ａ  係合凹所
３５ｂ  取付凸所
３５ｃ  ガイド面
４０  遊技機
４１  メダル投入口
４２  受皿
５０  メダル供給機
５１  貨幣投入口
５２  シュート
５３  供給口
５４  アダプタ
Ｈ  （遊技者の）指
ｍ  メダル
【図１】
0004732152.tif 000002
【図２】
0004732152.tif 000003
【図３】
0004732152.tif 000004
【図４】
0004732152.tif 000005
【図５】
0004732152.tif 000006
【図６】
0004732152.tif 000007
【図７】
0004732152.tif 000008
【図８】
0004732152.tif 000009
【図９】
0004732152.tif 000010
【図１０】
0004732152.tif 000011
【図１１】
0004732152.tif 000012
【図１２】
0004732152.tif 000013
【図１３】
0004732152.tif 000014
【図１４】
0004732152.tif 000015